(57)【要約】【課題】  立体撮影時に通常撮影時より立体的に音声を記録することができる立体カメラを得る。【解決手段】  音声情報を記録メディア４３に記録する際に、ＣＰＵ３２は、３次元撮影を行う立体撮影モードが選択されている場合にはマイク９０Ａ及びマイク９０Ｂを用いて音声情報を取得するように制御し、２次元撮影を行う通常撮影モードが選択されている場合には立体撮影モードが選択されている場合に用いるマイクより少ない数のマイク（マイク９０Ａ又はマイク９０Ｂ）を用いて音声情報を取得するように制御する。【選択図】        図２
2005202037.tif 000002
【特許請求の範囲】
【請求項１】
３次元撮影を行う立体撮影モード及び２次元撮影を行う通常撮影モードの何れか一方の撮影モードが選択可能に構成されると共に、前記立体撮影モード及び前記通常撮影モードの何れの撮影モードでも音声情報が記録可能に構成された立体カメラであって、
各々音声情報を取得する複数の音声取得手段と、
音声情報を記録する際に、前記立体撮影モードが選択されている場合には２つ以上の前記音声取得手段を用いて前記音声情報を取得するように制御し、前記通常撮影モードが選択されている場合には前記立体撮影モードが選択されている場合に用いる前記音声取得手段より少ない数の前記音声取得手段を用いて前記音声情報を取得するように制御する制御手段と、
を備えた立体カメラ。
【請求項２】
前記立体撮影モード及び前記通常撮影モードの何れか一方を選択するために操作される選択操作手段を更に備え、
前記制御手段は、前記選択操作手段による選択結果に応じて選択されている撮影モードを特定する
請求項１記載の立体カメラ。
【請求項３】
前記制御手段は、選択されている撮影モードで用いない前記音声取得手段への駆動用電力の給電を停止するように制御する
請求項１又は請求項２記載の立体カメラ。
【請求項４】
前記立体撮影モードによる３次元撮影を各々異なる位置に設けられた複数の撮像系により行い、前記通常撮影モードによる２次元撮影を前記複数の撮像系の何れか１つのみを用いて行うものとし、
前記制御手段は、通常撮影モードが選択されている場合、当該通常撮影モードで用いない前記撮像系への駆動用電力の給電を停止するように制御する
請求項１乃至請求項３の何れか１項記載の立体カメラ。
【発明の詳細な説明】
【技術分野】
【０００１】
本発明は、立体カメラに関し、特に、３次元撮影を行う立体撮影モード及び２次元撮影を行う通常撮影モードの何れか一方の撮影モードが選択可能に構成されると共に、前記立体撮影モード及び前記通常撮影モードの何れの撮影モードでも音声情報が記録可能に構成された立体カメラに関する。
【背景技術】
【０００２】
近年、３次元の立体映像に対する関心が高まっており、立体撮影を行うことのできるカメラ（ここでは、「立体カメラ」という。）も製品化されている。
【０００３】
この種の立体カメラでは、一般に、被写体を撮像するための撮像系が２つ備えられており、各撮像系によって異なる位置から同時に撮像を行うことにより得られた２つの画像情報を、立体映像を示す画像情報として記録するようにしている。
【０００４】
ところで、このような２つの撮像系を有する立体カメラに対し、２次元の通常撮影を行う機能も備えたカメラに関する技術として、従来、次に示すものがあった。
【０００５】
まず、特許文献１には、略水平方向に並べた一対の撮影光学系を有し、２次元撮影又は３次元撮影を選択的に行える立体撮像装置において、２次元撮影又は３次元撮影の何れを行う場合にも、視方向のずれによる違和感が生じることをなくすることを目的として、前記撮影光学系の少なくとも一方の視方向を変更する視方向変更手段を設けると共に、２次元撮影又は３次元撮影の選択情報に基づいて前記視方向変更手段を制御する技術が開示されている。
【０００６】
また、特許文献２には、２台のビデオカメラからなる立体映像撮影装置において、通常の２次元の映像を撮影する際に上記２台のビデオカメラを無駄なく用いると共に、３次元の立体映像を簡単に撮影することができるようにすることを目的として、一方のビデオカメラの撮像レンズにズームレンズを用いると共に、他方のビデオカメラの撮像レンズに固定倍率レンズを用い、通常の２次元映像を撮影するときには前記２台のビデオカメラにより望遠画像とワイド画像とを同時に撮影して任意に切り替えられるようにし、３次元画像を撮影するときには電子ズームにより２台のビデオカメラ間のズーム倍率の一致を図って撮影を行うようにした技術が開示されている。
【０００７】
更に、特許文献３には、立体静止画像と通常静止画像の撮影記録を選択的に行うことができると共に、これによる各画像情報等を単一の記録体において混在する形で記録を行うことができるようにすることを目的として、２つの撮影光学系をカメラ本体の水平方向に並設し、かつ各撮影光学系により結像された被写体光を撮像する２つの撮像手段を備え、立体静止画撮影モードによる撮影の際には上記２つの撮像手段を共に駆動して画像信号を取得し、通常撮影モードによる撮影の際には上記２つの撮像手段のうちの何れか一方のみを駆動して画像信号を取得するようにすると共に、モード切換設定手段により上記立体静止画撮影モードと上記通常撮影モードとを切り換えるようにした技術が開示されている。
【特許文献１】特開平９−３７２９９号公報
【特許文献２】特開平９−２１５０１２号公報
【特許文献３】特開平８−３１７４２５号公報
【発明の開示】
【発明が解決しようとする課題】
【０００８】
ところで、近年のデジタル電子スチルカメラでは、静止画像の撮影に加えて音声付き動画像の撮影も可能なものが多数製品化されている。また、近年のデジタル電子スチルカメラには、静止画像の撮影によって得られた画像ファイルに対して音声情報を関連付けて記憶する機能、所謂ボイスメモ機能を搭載したものも多数製品化されている。
【０００９】
ここで、この種の音声を記録する機能を有するデジタル電子スチルカメラに対して、前述したような立体撮影機能を搭載することを想定した場合、立体撮影時における音声は、臨場感を高めるために通常撮影時よりも立体的に記録することが要望されるものと考えられる。
【００１０】
しかしながら、上記特許文献１〜特許文献３の各特許文献に開示されている技術では、立体撮影を行うことはできるものの、音声の記録に関しては何ら考慮されていないため、立体撮影時に通常撮影時より立体的に音声を記録することができない、という問題点があった。
【００１１】
本発明は上記問題点を解決するためになされたものであり、立体撮影時に通常撮影時より立体的に音声を記録することができる立体カメラを提供することを目的とする。
【課題を解決するための手段】
【００１２】
上記目的を達成するために、請求項１記載の立体カメラは、３次元撮影を行う立体撮影モード及び２次元撮影を行う通常撮影モードの何れか一方の撮影モードが選択可能に構成されると共に、前記立体撮影モード及び前記通常撮影モードの何れの撮影モードでも音声情報が記録可能に構成された立体カメラであって、各々音声情報を取得する複数の音声取得手段と、音声情報を記録する際に、前記立体撮影モードが選択されている場合には２つ以上の前記音声取得手段を用いて前記音声情報を取得するように制御し、前記通常撮影モードが選択されている場合には前記立体撮影モードが選択されている場合に用いる前記音声取得手段より少ない数の前記音声取得手段を用いて前記音声情報を取得するように制御する制御手段と、を備えている。
【００１３】
請求項１に記載の立体カメラは、３次元撮影を行う立体撮影モード及び２次元撮影を行う通常撮影モードの何れか一方の撮影モードが選択可能に構成されると共に、前記立体撮影モード及び前記通常撮影モードの何れの撮影モードでも音声情報が記録可能に構成されている。なお、当該音声情報の記録には、動画像の撮影と同時に行う音声情報の記録の他、前述したボイスメモ機能による音声情報の記録が含まれる。
【００１４】
ここで、本発明の立体カメラは、各々音声情報を取得する複数の音声取得手段が備えられており、制御手段により、音声情報を記録する際に、前記立体撮影モードが選択されている場合には２つ以上の前記音声取得手段を用いて前記音声情報を取得するように制御され、前記通常撮影モードが選択されている場合には前記立体撮影モードが選択されている場合に用いる前記音声取得手段より少ない数の前記音声取得手段を用いて前記音声情報を取得するように制御される。なお、上記音声取得手段には、無指向性、単一指向性、双指向性等、各種指向性のマイクロフォンが含まれる。
【００１５】
例えば、音声取得手段が２つ備えられているときは、立体撮影モードが選択されている場合に２つの音声取得手段を用いて音声情報を取得して記録（ステレオ録音）し、通常撮影モードが選択されている場合には１つの音声取得手段を用いて音声情報を取得して記録（モノラル録音）することになる。また、例えば、音声取得手段が３つ備えられているときは、立体撮影モードが選択されている場合に３つの音声取得手段を用いて音声情報を取得して記録（サラウンド録音）し、通常撮影モードが選択されている場合には１つ又は２つの音声取得手段を用いて音声情報を取得して記録（モノラル録音又はステレオ録音）する形態を例示することができる。
【００１６】
このように、請求項１に記載の立体カメラによれば、音声情報を記録する際に、立体撮影モードが選択されている場合には２つ以上の音声取得手段を用いて音声情報を取得するように制御し、通常撮影モードが選択されている場合には立体撮影モードが選択されている場合に用いる音声取得手段より少ない数の音声取得手段を用いて音声情報を取得するように制御しているので、立体撮影時に通常撮影時より立体的に音声を記録することができる。
【００１７】
なお、本発明は、請求項２に記載の発明のように、前記立体撮影モード及び前記通常撮影モードの何れか一方を選択するために操作される選択操作手段を更に備え、前記制御手段は、前記選択操作手段による選択結果に応じて選択されている撮影モードを特定することが好ましい。これによって、撮影モードを簡易に特定することができる。なお、上記選択操作手段には、スライド・スイッチ、回転スイッチ等の各種スイッチや各種ボタンが含まれる。
【００１８】
また、本発明は、請求項３に記載の発明のように、前記制御手段は、選択されている撮影モードで用いない前記音声取得手段への駆動用電力の給電を停止するように制御することが好ましい。これによって、電力消費量を低減することができる。
【００１９】
更に、本発明は、請求項４に記載の発明のように、前記立体撮影モードによる３次元撮影を各々異なる位置に設けられた複数の撮像系により行い、前記通常撮影モードによる２次元撮影を前記複数の撮像系の何れか１つのみを用いて行うものとし、前記制御手段は、通常撮影モードが選択されている場合、当該通常撮影モードで用いない前記撮像系への駆動用電力の給電を停止するように制御することが好ましい。これによっても、電力消費量を低減することができる。
【発明の効果】
【００２０】
本発明に係る立体カメラによれば、音声情報を記録する際に、立体撮影モードが選択されている場合には２つ以上の音声取得手段を用いて音声情報を取得するように制御し、通常撮影モードが選択されている場合には立体撮影モードが選択されている場合に用いる音声取得手段より少ない数の音声取得手段を用いて音声情報を取得するように制御しているので、立体撮影時に通常撮影時より立体的に音声を記録することができる、という効果が得られる。
【発明を実施するための最良の形態】
【００２１】
以下、図面を参照して、発明を実施するための最良の形態について詳細に説明する。なお、ここでは、本発明を、静止画像の撮影の他、動画像の撮影を行う機能も有するデジタル電子スチルカメラ（以下、単に「デジタルカメラ」という。）に適用した場合について説明する。
【００２２】
まず、図１を参照して、本実施の形態に係るデジタルカメラ１０の外観上の構成を説明する。同図に示すように、デジタルカメラ１０の正面には、各々被写体像を結像させるための一対のレンズ１２Ａ及びレンズ１２Ｂと、撮影する被写体の構図を決定するために用いられるファインダ７０と、各々同一の指向感度特性（ここでは、カージオイドの曲線となる特性）を有する一対のマイクロフォン（以下、単に「マイク」という。）９０Ａ及び９０Ｂと、が備えられている。
【００２３】
本実施の形態に係るマイク９０Ａはレンズ１２Ａの近傍に、マイク９０Ｂはレンズ１２Ｂの近傍に、各々音圧感度が最大となる中心軸がデジタルカメラ１０の正面方向（被写体方向）を向くように配設されている。なお、本実施の形態に係るデジタルカメラ１０では、音声をステレオで記録する際にはマイク９０Ａ及びマイク９０Ｂの双方を使用し、音声をモノラルで記録する場合にはマイク９０Ａ及びマイク９０Ｂの予め定められた一方（ここでは、マイク９０Ａ）のみを使用する。
【００２４】
また、デジタルカメラ１０の上面には、撮影を実行する際にユーザによって押圧操作されるレリーズボタン（所謂シャッター）５２Ａと、電源スイッチ５２Ｅと、が備えられている。
【００２５】
なお、本実施の形態に係るレリーズボタン５２Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、本実施の形態に係るデジタルカメラ１０では、後述する静止画撮影モード（立体静止画撮影モード及び通常静止画撮影モード）が設定されている場合はレリーズボタン５２Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
これに対し、後述する動画撮影モード（立体動画撮影モード及び通常動画撮影モード）が設定されている場合には、レリーズボタン５２Ａを全押し状態とすることにより動画撮影が開始され、レリーズボタン５２Ａを未押下状態に復帰させた後に再び全押し状態にすることによって当該動画撮影が停止される。なお、動画撮影モードによる撮影時には、動画撮影の最中にＡＥ制御及びＡＦ制御が適宜行われることになる。
【００２８】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ５２Ｂと、十字カーソルボタン５２Ｃと、撮影時に被写体像のズーミング（拡大及び縮小）を行うときに操作されるズームスイッチ５２Ｄと、が備えられている。
【００２９】
なお、本実施の形態に係るモード切替スイッチ５２Ｂは、上記撮影モードとして、静止画像の３次元撮影を行う立体静止画撮影モードと、静止画像の２次元撮影を行う通常静止画撮影モードと、動画像の３次元撮影を行う立体動画撮影モードと、動画像の２次元撮影を行う通常動画撮影モードと、の４種類の撮影モードの何れかが設定可能となっている。ここで、立体動画撮影モード及び通常動画撮影モードの２つの動画撮影モードでは、動画撮影と同時に音声情報も記録することができる。
【００３０】
一方、十字カーソルボタン５２Ｃは、ＬＣＤ３０の表示領域における上・下・左・右の４方向の移動方向を示す４つの矢印キー及び当該４つの矢印キーの中央部に位置された決定キーの合計５つのキーを含んで構成されている。また、ズームスイッチ５２Ｄは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００３１】
一方、デジタルカメラ１０の側面には、撮影によって得られたデジタル画像データが記録可能な記録メディア（ここでは、当該デジタル画像データが画像ファイルとして記録される記録メディア。）を装着することのできるスロットＳＬが設けられている。
【００３２】
次に、図２を参照して、本実施の形態に係るデジタルカメラ１０の電気系の主要構成を説明する。
【００３３】
同図に示すように、デジタルカメラ１０は、前述のレンズ１２Ａを含んで構成された光学ユニット１３Ａと、レンズ１２Ａの光軸後方に配設されたＣＣＤ（電荷結合素子）１４Ａと、相関二重サンプリング回路（以下、「ＣＤＳ」という。）１６Ａと、入力されたアナログ信号をデジタルデータに変換するアナログ／デジタル変換器（以下、「ＡＤＣ」という。）１８Ａと、を含んで構成された第１撮像系８８Ａを備えている。また、デジタルカメラ１０は、前述のレンズ１２Ｂを含んで構成された光学ユニット１３Ｂと、レンズ１２Ｂの光軸後方に配設されたＣＣＤ１４Ｂと、ＣＤＳ１６Ｂと、ＡＤＣ１８Ｂと、を含んで構成された第２撮像系８８Ｂを備えている。
【００３４】
すなわち、本実施の形態に係るデジタルカメラ１０は、互いに同様の構成とされた第１撮像系８８Ａ及び第２撮像系８８Ｂの２つの撮像系を備えており、これらを用いることによって立体撮影を可能としている。なお、通常静止画撮影モード及び通常動画撮影モードの何れかの撮影モードが設定されており、通常の２次元の撮影を行う際には、第１撮像系８８Ａ及び第２撮像系８８Ｂの何れか一方が選択的に用いられる。
【００３５】
第１撮像系８８Ａにおいて、ＣＣＤ１４Ａの出力端はＣＤＳ１６Ａの入力端に、ＣＤＳ１６Ａの出力端はＡＤＣ１８Ａの入力端に、各々接続されている。同様に、第２撮像系８８Ｂにおいても、ＣＣＤ１４Ｂの出力端はＣＤＳ１６Ｂの入力端に、ＣＤＳ１６Ｂの出力端はＡＤＣ１８Ｂの入力端に、各々接続されている。
【００３６】
ここで、ＣＤＳ１６Ａ及びＣＤＳ１６Ｂによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
一方、デジタルカメラ１０は、ＡＤＣ１８Ａ及びＡＤＣ１８Ｂの各々の出力端に入力端が接続されると共に、所定容量のラインバッファを内蔵し、入力されたデジタル画像データを後述する第２メモリ４０の所定領域に直接記憶させる制御を行う画像入力コントローラ２０と、通常静止画撮影モード及び通常動画撮影モードの何れかの２次元の撮影モードが設定されている際に、適用されている第１撮像系８８Ａ及び第２撮像系８８Ｂの何れか一方によって取得されたデジタル画像データに対して各種画像処理を施す画像信号処理回路２２と、立体静止画撮影モード及び立体動画撮影モードの何れかの３次元の撮影モードが設定されている際に第１撮像系８８Ａ及び第２撮像系８８Ｂの双方によって取得された２つのデジタル画像データに対して各種画像処理を施して合成する立体画像信号処理回路２３と、所定の圧縮形式でデジタル画像データに対して圧縮処理を施す一方、圧縮処理されたデジタル画像データに対して圧縮形式に応じた形式で伸張処理を施す圧縮・伸張処理回路２４と、を備えている。
【００３８】
なお、本実施の形態に係る圧縮・伸張処理回路２４は、複数の圧縮形式（本実施の形態では、ＪＰＥＧ形式、モーションＪＰＥＧ形式、ＭＰＥＧ形式）から何れかを選択的に適用して圧縮処理を行うことができるように構成されており、適用する圧縮形式は後述するＣＰＵ３２からの指示入力に応じて設定することができる。
【００３９】
また、デジタルカメラ１０は、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を備えている。
【００４０】
また、デジタルカメラ１０は、デジタルカメラ１０全体の動作を司るＣＰＵ（中央演算処理装置）３２と、ＡＦ機能を働かせるために必要とされる物理量（本実施の形態では、撮影に用いられているＣＣＤ１４Ａ及びＣＣＤ１４Ｂの少なくとも一方による撮像によって得られた画像のコントラスト値。）を検出するＡＦ検出回路３４と、ＡＥ機能及びＡＷＢ（Automatic White Balance）機能を働かせるために必要とされる物理量（本実施の形態では、撮影に用いられているＣＣＤ１４Ａ及びＣＣＤ１４Ｂの少なくとも一方による撮像によって得られた画像の明るさを示す量（以下、「測光データ」という。））を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を備えている。
【００４１】
更に、デジタルカメラ１０は、スロットＳＬに装着された記録メディア４３をデジタルカメラ１０でアクセス可能とするためのメディアコントローラ４２と、スピーカ７２と、スピーカ７２によって外部に音声情報を出力するための処理を行う音声出力処理部４６と、前述したマイク９０Ａ及びマイク９０Ｂから出力された音声信号を所定の増幅率で増幅するアンプ８４と、アンプ８４を介して入力されたアナログ音声信号をデジタルカメラ１０において取り扱うことのできるデジタル音声データに変換する等の処理を行う音声入力処理部８２と、を備えている。なお、本実施の形態に係るアンプ８４は、マイク９０Ａ及びマイク９０Ｂから入力された２つの音声信号を各々個別に増幅するための２つの増幅部が備えられている。
【００４２】
以上の画像入力コントローラ２０、画像信号処理回路２２、立体画像信号処理回路２３、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、音声出力処理部４６、及び音声入力処理部８２は、各々システムバスＢＵＳを介して相互に接続されている。
【００４３】
従って、ＣＰＵ３２は、画像入力コントローラ２０、画像信号処理回路２２、立体画像信号処理回路２３、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、及び記録メディア４３へのアクセスと、音声出力処理部４６を介したスピーカ７２による音声情報の出力と、マイク９０Ａ、９０Ｂ、アンプ８４及び音声入力処理部８２を介した音声情報の入力と、を各々行うことができる。
【００４４】
一方、第１撮像系８８Ａには、主としてＣＣＤ１４Ａを駆動させるためのタイミング信号を生成してＣＣＤ１４Ａに供給するタイミングジェネレータ４８Ａが設けられており、当該タイミングジェネレータ４８Ａの入力端はＣＰＵ３２に、出力端はＣＣＤ１４Ａに、各々接続されていて、ＣＣＤ１４Ａの駆動は、ＣＰＵ３２によりタイミングジェネレータ４８Ａを介して制御される。
【００４５】
更に、ＣＰＵ３２は第１撮像系８８Ａに設けられたモータ駆動部５０Ａの入力端に接続され、モータ駆動部５０Ａの出力端は光学ユニット１３Ａに備えられた焦点調整モータ、ズームモータ及び絞り駆動モータに接続されている。
【００４６】
すなわち、本実施の形態に係る光学ユニット１３Ａに含まれるレンズ１２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０Ａから供給された駆動信号によって駆動される。
【００４７】
ＣＰＵ３２は、光学ズーム倍率を変更する際にはズームモータを駆動制御して光学ユニット１３Ａに含まれるレンズ１２Ａの焦点距離を変化させる。
【００４８】
また、ＣＰＵ３２は、ＣＣＤ１４Ａによる撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４９】
なお、第２撮像系８８Ｂにも、第１撮像系８８Ａのものと同一の構成とされたタイミングジェネレータ４８Ｂ及びモータ駆動部５０Ｂが備えられており、第１撮像系８８Ａと同様に、これらを介してＣＰＵ３２により、ＣＣＤ１４Ｂの駆動と、光学ユニット１３Ｂに備えられた不図示のレンズ駆動機構に含まれる焦点調整モータ、ズームモータ及び絞り駆動モータの駆動と、が制御される。
【００５０】
更に、前述したレリーズボタン５２Ａ、モード切替スイッチ５２Ｂ、十字カーソルボタン５２Ｃ、ズームスイッチ５２Ｄ、及び電源スイッチ５２Ｅの各種ボタン類及びスイッチ類（図２では、「操作部５２」と総称。）はＣＰＵ３２に接続されており、ＣＰＵ３２は、これらのボタン類及びスイッチ類に対する操作状態を常時把握できる。
【００５１】
また、本実施の形態に係るデジタルカメラ１０には、電源回路５４と電池５６が備えられており、電源回路５４は、ＣＰＵ３２による制御の下に、電池５６から入力された電力に基づいて適切な作動用の電力を生成して各部に供給する。なお、錯綜を回避するために、同図では、電源回路５４から電力が供給される各部への接続線の図示を省略している。
【００５２】
更に、本実施の形態に係るデジタルカメラ１０には、クロックジェネレータ８０が備えられており、クロックジェネレータ８０は、ＣＰＵ３２による制御の下に適切なクロック信号を生成して各部に供給する。なお、錯綜を回避するために、同図では、クロックジェネレータ８０からクロック信号が供給される各部への接続線の図示を省略している。
【００５３】
次に、本実施の形態に係るデジタルカメラ１０の作用を説明する。まず、立体静止画撮影モード及び立体動画撮影モードが設定されている場合の立体撮影時におけるデジタルカメラ１０の全体的な動作について説明する。
【００５４】
まず、第１撮像系８８Ａにおいて、ＣＣＤ１４Ａによる被写体像の光学ユニット１３Ａを介した撮像が行われ、被写体像を示す信号がＣＣＤ１４ＡからＣＤＳ１６Ａに順次出力される。
【００５５】
ＣＤＳ１６Ａは、ＣＣＤ１４Ａから入力された信号に対して相関二重サンプリング処理を施し、これによって得られたＲ（赤）、Ｇ（緑）、Ｂ（青）のアナログ画像信号を順次ＡＤＣ１８Ａに出力する。
【００５６】
そして、ＡＤＣ１８Ａは、ＣＤＳ１６Ａから入力されたＲ、Ｇ、Ｂのアナログ画像信号を各々１２ビットのＲ、Ｇ、Ｂ信号（デジタル画像データ）に変換して画像入力コントローラ２０に出力する。
【００５７】
この第１撮像系８８Ａの動作に並行して、第２撮像系８８Ｂにおいても、ＣＣＤ１４Ｂによる被写体像の光学ユニット１３Ｂを介した撮像が行われて当該被写体像を示す信号がＣＣＤ１４ＢからＣＤＳ１６Ｂに順次出力され、ＣＤＳ１６Ｂにより、ＣＣＤ１４Ｂから入力された信号に対して相関二重サンプリング処理を施し、これによって得られたＲ、Ｇ、Ｂのアナログ画像信号を順次ＡＤＣ１８Ｂに出力し、ＡＤＣ１８Ｂは、ＣＤＳ１６Ｂから入力されたＲ、Ｇ、Ｂのアナログ画像信号を各々１２ビットのＲ、Ｇ、Ｂ信号（デジタル画像データ）に変換して画像入力コントローラ２０に出力する。
【００５８】
画像入力コントローラ２０は内蔵しているラインバッファにＡＤＣ１８Ａ及びＡＤＣ１８Ｂから順次入力される２画像分のデジタル画像データを蓄積して一旦第２メモリ４０の所定領域に格納する。
【００５９】
第２メモリ４０の所定領域に格納された２画像分のデジタル画像データは、ＣＰＵ３２による制御下で立体画像信号処理回路２３によって読み出され、これらにＡＥ・ＡＷＢ検出回路３６により検出された物理量（測光データ）に応じたデジタルゲインをかけることでホワイトバランス調整を行うと共に、ガンマ処理及びシャープネス処理を行って８ビットのデジタル画像データを生成し、更にＹＣ信号処理を施して輝度信号Ｙとクロマ信号Ｃｒ、Ｃｂ（以下、「ＹＣ信号」という。）を生成し、これら２画像分のＹＣ信号を合成して立体画像を示すＹＣ信号を生成し、当該ＹＣ信号を第２メモリ４０の上記所定領域とは異なる領域に格納する。
【００６０】
ここで、立体画像信号処理回路２３では、第１撮像系８８Ａ及び第２撮像系８８Ｂにより得られたＹＣ信号を、それぞれ右目用、左目用の画像を示すＹＣ信号として認識し、これら２画像分のＹＣ信号に基づいて、立体画像を示すＹＣ信号を生成する。
【００６１】
なお、ＬＣＤ３０は、各撮像系による連続的な撮像によって得られた動画像（スルー画像）を表示してファインダとして使用することができるものとして構成されているが、このようにＬＣＤ３０をファインダとして使用する場合には、第２メモリ４０の所定領域に格納された立体画像を示すＹＣ信号を、ビデオ／ＬＣＤエンコーダ２８を介して順次ＬＣＤ３０に出力する。これによってＬＣＤ３０にスルー画像が表示されることになる。
【００６２】
ここで、立体静止画撮影モードが設定されている場合、レリーズボタン５２Ａがユーザによって半押し状態とされたタイミングで、各撮像系において前述したようにＡＥ機能が働いて露出状態が設定された後、ＡＦ機能が働いて合焦制御され、その後、引き続き全押し状態とされたタイミングで、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４３に記録する。
【００６３】
一方、立体動画撮影モードが設定されている場合には、レリーズボタン５２Ａが全押し状態とされたタイミングで、その時点から第２メモリ４０に格納されるＹＣ信号を、マイク９０Ａ及びマイク９０Ｂと、アンプ８４及び音声入力処理部８２とを介して得られた音声信号と共に、所定期間毎に時系列で圧縮・伸張処理回路２４により所定の圧縮形式（本実施の形態では、ＭＰＥＧ形式）で圧縮した後にメディアコントローラ４２を介して記録メディア４３に順次記録していき、再度レリーズボタン５２Ａが全押し状態とされたタイミングで、当該記録動作を終了する。
【００６４】
なお、通常静止画撮影モード及び通常動画撮影モードが設定されている場合の撮影時におけるデジタルカメラ１０の動作は、立体画像信号処理回路２３に代えて、画像信号処理回路２２により、予め選択された撮像系によって得られたデジタル画像データのみに対して各種画像信号処理を施してＹＣ信号を生成し、当該ＹＣ信号を第２メモリ４０に格納する点と、通常動画撮影モードによる撮影の際に圧縮・伸張処理回路２４において適用される圧縮形式がモーションＪＰＥＧ形式である点を除いて、上述した立体静止画撮影モード及び立体動画撮影モードが設定されている場合の動作と略同様であるので、ここでの説明は省略する。
【００６５】
ところで、本実施の形態に係るデジタルカメラ１０では、撮影モードが通常動画撮影モード又は立体動画撮影モードに設定された際に動画撮影設定処理が実行される。
【００６６】
次に、図３を参照して、本実施の形態に係る動画撮影設定処理について説明する。なお、図３は、動画撮影設定処理を実行する際に、ＣＰＵ３２において実行される動画撮影設定処理プログラムの処理の流れを示すフローチャートである。
【００６７】
まず、ステップ１００では、モード切替スイッチ５２Ｂによる動作モードの選択結果に応じて立体動画撮影モードが設定されているか否かを判定し、肯定判定となった場合はステップ１０２に移行する。
【００６８】
ステップ１０２では、音声入力処理部８２に対してマイク９０Ａ及びマイク９０Ｂの双方により得られた２つのデジタル音声信号を圧縮・伸張処理回路２４に出力するように指示する指示情報を出力すること等により、関係各部に対して立体撮影に対応する音声処理の実行指示を行う。
【００６９】
次のステップ１０４では、画像信号処理回路２２に対して作動の停止を指示する指示情報を出力すると共に、立体画像信号処理回路２３に対して作動の開始を指示する指示情報を出力すること等により、関係各部に対して立体撮影に対応する画像処理の実行指示を行う。
【００７０】
そして、次のステップ１０６では、圧縮・伸張処理回路２４に対して、音声情報のステレオでの記録を伴うＭＰＥＧ形式による圧縮処理を行うことを指示する指示情報を出力すること等により、関係各部に対して立体撮影に対応する圧縮処理の実行指示を行い、その後に本動画撮影設定処理プログラムを終了する。
【００７１】
一方、上記ステップ１００において否定判定となった場合は、通常動画撮影モードが設定されているものと見なしてステップ１０８に移行する。
【００７２】
ステップ１０８では、使用しない撮像系への駆動用電力の供給を停止するように電源回路５４を制御し、次のステップ１１０では、使用しないマイク９０Ａ又はマイク９０Ｂ、及び使用しないアンプ８４の増幅部への駆動用電力の供給を停止するように電源回路５４を制御する。
【００７３】
次のステップ１１２では、音声入力処理部８２に対して、モノラル録音で使用するマイク（ここでは、マイク９０Ａ）により得られたデジタル音声信号のみを圧縮・伸張処理回路２４に出力するように指示する指示情報を出力すること等により、関係各部に対して通常撮影に対応する音声処理の実行指示を行う。
【００７４】
次のステップ１１４では、画像信号処理回路２２に対して作動の開始を指示する指示情報を出力すると共に、立体画像信号処理回路２３に対して作動の停止を指示する指示情報を出力すること等により、関係各部に対して通常撮影に対応する画像処理の実行指示を行う。
【００７５】
そして、次のステップ１１６では、圧縮・伸張処理回路２４に対して、音声情報のモノラルでの記録を伴うモーションＪＰＥＧ形式による圧縮処理を行うことを指示する指示情報を出力すること等により、関係各部に対して通常撮影に対応する圧縮処理の実行指示を行い、その後に本動画撮影設定処理プログラムを終了する。
【００７６】
以上のような動画撮影設定処理が実行された後、デジタルカメラ１０では、立体動画撮影モードが設定されている場合、立体画像信号処理回路２３により、第１撮像系８８Ａ及び第２撮像系８８Ｂの双方の撮像によって得られた２画像分のＹＣ信号が合成されることによって立体画像を示すＹＣ信号が順次生成される。なお、このとき、音声入力処理部８２により、マイク９０Ａ及びマイク９０Ｂの双方により得られた２つのデジタル音声信号が圧縮・伸張処理回路２４に順次出力される。
【００７７】
これに対し、通常動画撮影モードが設定されている場合には、画像信号処理回路２２により、第１撮像系８８Ａ及び第２撮像系８８Ｂの何れか一方（本実施の形態では、第１撮像系８８Ａ）の撮像に応じて１画像分のＹＣ信号が順次生成される。なお、このとき、音声入力処理部８２により、マイク９０Ａ及びマイク９０Ｂの何れか一方（本実施の形態では、マイク９０Ａ）により得られたデジタル音声信号が圧縮・伸張処理回路２４に順次出力される。
【００７８】
この状態においてユーザによりレリーズボタン５２Ａが全押し状態とされた場合、圧縮・伸張処理回路２４により、以上のような処理によって第２メモリ４０に順次記憶されるＹＣ信号と、音声入力処理部８２より入力されたデジタル音声信号の、上記動画撮影設定処理プログラムで設定された圧縮形式（立体動画撮影モード設定時は音声情報のステレオでの記録を伴うＭＰＥＧ形式で、通常動画撮影モード設定時は、音声情報のモノラルでの記録を伴うモーションＪＰＥＧ形式）による圧縮、及び圧縮後の映像情報のメディアコントローラ４２を介した記録メディア４３への記録が開始される。
【００７９】
そして、ユーザによって再びレリーズボタン５２Ａが全押し状態とされたタイミングで当該映像情報の記録メディア４３への記録が停止される。
【００８０】
以上詳細に説明したように、本実施の形態によれば、音声情報を記録する際に、立体撮影モード（ここでは、立体動画撮影モード）が選択されている場合には２つのマイクを用いて音声情報を取得するように制御し、通常撮影モード（ここでは、通常動画撮影モード）が選択されている場合には立体撮影モードが選択されている場合に用いるマイクより少ない数のマイクを用いて音声情報を取得するように制御しているので、立体撮影時に通常撮影時より立体的に音声を記録することができる。
【００８１】
また、本実施の形態によれば、前記立体撮影モード及び前記通常撮影モードの何れか一方を選択するために操作されるモード切替スイッチ５２Ｂを更に備え、当該モード切替スイッチ５２Ｂによる選択結果に応じて選択されている撮影モードを特定しているので、撮影モードを簡易に特定することができる。
【００８２】
また、本実施の形態によれば、選択されている撮影モードで用いないマイク及び増幅部への駆動用電力の給電を停止するように制御しているので、電力消費量を低減することができる。
【００８３】
更に、本実施の形態によれば、前記立体撮影モードによる３次元撮影を各々異なる位置に設けられた２つの撮像系により行い、前記通常撮影モードによる２次元撮影を前記２つの撮像系の何れか１つのみを用いて行うものとし、通常撮影モードが選択されている場合、当該通常撮影モードで用いない前記撮像系への駆動用電力の給電を停止するように制御しているので、電力消費量を、より低減することができる。
【００８４】
なお、本実施の形態では、ステレオ録音を可能とするために同一指向感度特性を有する２つのマイク９０Ａ及び９０Ｂを個別に備えた場合について説明したが、本発明はこれに限定されるものではなく、例えば、２つのマイクロフォンが一体的に設けられて構成されたステレオマイクロフォンユニットを用いる形態とすることもできる。この場合のマイクロフォンユニットとしては、一方のマイクロフォンとしてカージオイドの曲線を示す指向感度特性を有するものを適用し、他方のマイクロフォンとしてバイディレクショナル（双指向性）のものを適用したステレオマイクロフォンユニット、所謂ＭＳマイクロフォンを例示することができる。
【００８５】
この場合も、本実施の形態と同様の効果を奏することができる。
【００８６】
また、本実施の形態では、本発明を動画撮影時における音声記録に関して適用した場合について説明したが、本発明はこれに限定されるものではなく、例えば、静止画像の撮影によって得られた画像ファイルに対して音声情報を関連付けて記憶するボイスメモ機能による音声記録に関して適用する形態とすることもできる。この場合、立体静止画撮影モードによる撮影によって得られた画像ファイルには、本実施の形態に係る立体動画撮影モード設定時と同様に、マイク９０Ａ及びマイク９０Ｂの双方によって得られた音声信号がステレオで記録され、通常静止画撮影モードによる撮影によって得られた画像ファイルには、本実施の形態に係る通常動画撮影モード設定時と同様に、マイク９０Ａ及びマイク９０Ｂの何れか一方によって得られた音声信号がモノラルで記録されることになる。
【００８７】
この場合も、本実施の形態と同様の効果を奏することができる。
【００８８】
また、本実施の形態では、立体動画撮影モードによる撮影時に２系統の音声信号によりステレオで音声情報を記録し、通常動画撮影モードによる撮影時に１系統の音声信号によりモノラルで音声情報を記録する場合について説明したが、本発明はこれに限定されるものではなく、例えば、立体動画撮影モードによる撮影時に３系統以上の音声信号によりサラウンドで音声情報を記録し、通常動画撮影モードによる撮影時に２系統の音声信号によりステレオで音声情報を記録する形態とすることもできる。この場合は、本発明の音声取得手段として３つ以上のマイクロフォンにより構成されたサラウンドマイクロフォンを適用してデジタルカメラに搭載し、撮影モードに応じて使用するマイクロフォンを選択的に切り換える。なお、当該サラウンドマイクロフォンとしては、一例として、特開平５−１９１８８７号公報に記載されているサラウンドマイクロフォンシステムを例示することができる。
【００８９】
この場合、立体撮影時における音声情報の立体感を、より向上させることができる。
【００９０】
また、本実施の形態で説明した動画撮影設定処理プログラム（図３参照。）の処理の流れは一例であり、本発明の主旨を逸脱しない範囲内において適宜変更可能であることは言うまでもない。
【００９１】
更に、本実施の形態で説明したデジタルカメラ１０の構成（図１及び図２参照。）も一例であり、本発明の主旨を逸脱しない範囲内において適宜変更可能であることは言うまでもない。
【図面の簡単な説明】
【００９２】
【図１】実施の形態に係るデジタルカメラの外観を示す外観図である。
【図２】実施の形態に係るデジタルカメラの電気系の主要構成を示すブロック図である。
【図３】実施の形態に係る動画撮影設定処理プログラムの処理の流れを示すフローチャートである。
【符号の説明】
【００９３】
１０    デジタルカメラ
３２    ＣＰＵ（制御手段）
５２Ｂ    モード切替スイッチ（選択操作手段）
８８Ａ    第１撮像系（撮像系）
８８Ｂ    第２撮像系（撮像系）
９０Ａ、９０Ｂ    マイク（音声取得手段）
【図１】
2005202037.tif 000003
【図２】
2005202037.tif 000004
【図３】
2005202037.tif 000005